(57)【要約】【課題】車載用電源装置を動作させる上で重要性の高い部分の異常判定を行う。【解決手段】異常検出装置３は、検出回路部と保護回路部と異常判定部とを備える。検出回路部は、車載用電源装置１の所定位置の電流、電圧の少なくともいずれかの大きさを示す検出値をアナログ信号として生成する電圧検出回路１６Ａ，１６Ｂ及び電流検出回路１８と、これらによって生成された検出値をデジタル信号に変換するＡ／Ｄ変換器１０Ｂ（変換部）とを備える。保護回路部は、電圧変換部ＣＶへの入力経路又は電圧変換部ＣＶからの出力経路の電圧又は電流が異常値である場合に、車載用電源装置１に対して所定の保護動作を行う。異常判定部は、検出回路部又は保護回路部の少なくともいずれかに予め定められた診断動作を行わせ、診断動作の結果に基づいて、検出回路部又は保護回路部の少なくともいずれかの異常を判定する。【選択図】図１
2018023195.tif 000002
【特許請求の範囲】
【請求項１】
スイッチ素子のオンオフ動作によって入力電圧を昇圧又は降圧する電圧変換部を備えた車載用電源装置の異常を検出する異常検出装置であって、
前記車載用電源装置の所定位置の電流、電圧の少なくともいずれかの大きさを示す検出値をアナログ信号として生成する検出部と、前記検出部で生成された前記検出値をデジタル信号に変換する変換部とを備えた検出回路部と、
前記電圧変換部への入力経路の電圧又は電流の少なくともいずれか、又は前記電圧変換部からの出力経路の電圧又は電流の少なくともいずれかが異常値である場合に、前記車載用電源装置に対して所定の保護動作を行う保護回路部と、
前記検出回路部又は前記保護回路部の少なくともいずれかに予め定められた診断動作を行わせ、前記診断動作の結果に基づいて、前記検出回路部又は前記保護回路部の少なくともいずれかの異常を判定する異常判定部と、
を有する異常検出装置。
【請求項２】
前記異常判定部は、車両において所定の動作停止条件が成立した場合に、前記検出回路部又は前記保護回路部の少なくともいずれかに前記診断動作を行わせ、前記診断動作の結果に基づいて、前記検出回路部又は前記保護回路部の少なくともいずれかの異常を判定し、前記検出回路部又は前記保護回路部の少なくともいずれかが異常である判定した場合、前記車両において所定の動作開始条件が成立したときに前記検出回路部又は前記保護回路部のうち異常と判定された対象回路部に対して予め定められた再診断動作を行わせ、前記再診断動作の結果に基づいて前記対象回路部の異常を再判定する請求項１に記載の異常検出装置。
【請求項３】
前記異常判定部は、前記検出回路部を構成する前記変換部に対して予め定められた自己診断動作を行わせ、前記変換部の前記自己診断動作に基づいて前記検出回路部を構成する前記変換部の異常を判定する請求項１又は請求項２に記載の異常検出装置。
【請求項４】
前記異常判定部は、前記入力経路の電圧又は電流が異常値である場合の疑似信号、又は前記出力経路の電圧又は電流が異常値である場合の疑似信号を前記保護回路部に与え、前記疑似信号の発生時における前記保護回路部の動作結果に基づいて前記保護回路部の異常を判定する請求項１から請求項３のいずれか一項に記載の異常検出装置。
【請求項５】
前記車載用電源装置は、複数の前記電圧変換部によって多相変換部が構成され、
前記異常判定部は、複数の前記電圧変換部を１又は複数個毎に順番に動作させ、順番に動作させたそれぞれ動作時における前記多相変換部からの出力に基づいて異常が生じている１又は複数の電圧変換部を検出する請求項１から請求項４のいずれか一項に記載の異常検出装置。
【請求項６】
請求項１から請求項５のいずれか一項に記載の異常検出装置と、前記電圧変換部とを含む車載用電源装置。
【発明の詳細な説明】
【技術分野】
【０００１】
本発明は、車載用電源装置の異常を検出する異常検出装置、及び車載用電源装置に関するものである。
【背景技術】
【０００２】
特許文献１には、並列接続された複数相のチョッパ部を含み、各相チョッパ部のスイッチ素子を異なる位相でスイッチ駆動し、発電装置からの直流電圧を所定の出力電圧に変換する多相チョッパと、各相チョッパ部のスイッチ素子の故障を検出する故障検出手段とを備えた電源装置が開示されている。
【先行技術文献】
【特許文献】
【０００３】
【特許文献１】特開２０１３−４６５４１号公報
【発明の概要】
【発明が解決しようとする課題】
【０００４】
しかし、特許文献１の電源装置は、通常の電圧変換動作時に故障診断を行う構成であるため、故障診断を行っている最中に処理負荷が増大し、通常動作に影響を及ぼすという問題がある。また、特許文献１の電源装置は、各相のスイッチ素子の故障を判定する機能を備えているが、モニタ回路や保護回路などが適正に動作するか否かを判定することができないという問題もある。
【０００５】
本発明は上述した事情に基づいてなされたものであり、車載用電源装置を動作させる上で重要性の高い部分の異常判定を行うことを目的とするものである。
【課題を解決するための手段】
【０００６】
本発明の一例である異常検出装置は、
スイッチ素子のオンオフ動作によって入力電圧を昇圧又は降圧する電圧変換部を備えた車載用電源装置の異常を検出する異常検出装置であって、
前記車載用電源装置の所定位置の電流、電圧の少なくともいずれかの大きさを示す検出値をアナログ信号として生成する検出部と、前記検出部で生成された前記検出値をデジタル信号に変換する変換部とを備えた検出回路部と、
前記電圧変換部への入力経路の電圧又は電流の少なくともいずれか、又は前記電圧変換部からの出力経路の電圧又は電流の少なくともいずれかが異常値である場合に、前記車載用電源装置に対して所定の保護動作を行う保護回路部と、
前記検出回路部又は前記保護回路部の少なくともいずれかに予め定められた診断動作を行わせ、前記診断動作の結果に基づいて、前記検出回路部又は前記保護回路部の少なくともいずれかの異常を判定する異常判定部と、
を有する。
【発明の効果】
【０００７】
上述した異常検出装置は、異常判定部を備え、この異常判定部は、検出回路部又は保護回路部の少なくともいずれかに予め定められた診断動作を行わせ、診断動作の結果に基づいて、検出回路部又は保護回路部の少なくともいずれかの異常を判定する。このような異常判定部の動作により、検出回路部又は保護回路部の少なくともいずれかに実際に診断動作を行わせた上で異常を判定することができ、車載用電源装置を正常に動作させる上で重要性の高い部分について異常が生じているか否かを確認することができる。
【図面の簡単な説明】
【０００８】
【図１】実施例１の異常検出装置及び車載用電源装置を含んだ車載電源システムを例示する回路図である。
【図２】実施例１の異常検出装置及び車載用電源装置を含んだ車載電源システムを簡略的に示すブロック図である。
【図３】実施例１の異常検出装置によって実行される保護回路部の異常検出制御の流れを例示するフローチャートである。
【図４】図３の異常検出制御における保護回路故障検出処理の流れを例示するフローチャートである。
【図５】実施例１の異常検出装置によって実行される検出回路部の異常検出制御の流れを例示するフローチャートである。
【図６】実施例１の異常検出装置によって実行される多相変換部の異常検出制御の流れを例示するフローチャートである。
【図７】図６の異常検出制御における故障相判定処理の流れを例示するフローチャートである。
【図８】実施例１の異常検出装置によって実行される保護回路部の再判定制御の流れを例示するフローチャートである。
【図９】実施例１の異常検出装置によって実行される検出回路部の再判定制御の流れを例示するフローチャートである。
【図１０】実施例１の異常検出装置によって実行される多相変換部の再判定制御の流れを例示するフローチャートである。
【発明を実施するための形態】
【０００９】
ここで、本発明の望ましい例を示す。但し、本発明は以下の例に限定されない。
異常判定部は、車両において所定の動作停止条件が成立した場合に、検出回路部又は保護回路部の少なくともいずれかに診断動作を行わせ、診断動作の結果に基づいて、検出回路部又は保護回路部の少なくともいずれかの異常を判定し、検出回路部又は保護回路部の少なくともいずれかが異常である判定した場合、車両において所定の動作開始条件が成立したときに検出回路部又は保護回路部のうち異常と判定された対象回路部に対して予め定められた再診断動作を行わせ、再診断動作の結果に基づいて対象回路部の異常を再判定するように機能し得る。
【００１０】
このように構成された異常検出装置は、診断動作やそれに応じた異常判定を、車両において所定の動作停止条件が成立した後に行うことができるため、車両走行時に行われる通常動作への影響を抑えて重要性の高い部分を確認することができる。更に、その異常判定によって異常と判定した場合には、異常と判定した回路部（対象回路部）に対して再診断動作を行わせ、異常を再判定することができるため、いずれかの回路部が異常であるか否かをより正確に判定することができ、しかも、再診断動作及び異常の再判定は、車両において所定の動作開始条件が成立したとき、車両の走行が進行する前に早期に実行することができる。このように、診断動作や異常判定だけでなく再診断動作や再判定についても車両走行時に行われる通常動作への影響を抑えて行うことができ、更には、異常判定後に再判定がなされないまま車両走行が行われる事態も生じにくくなる。
【００１１】
異常判定部は、検出回路部を構成する変換部に対して予め定められた自己診断動作を行わせ、変換部の自己診断動作に基づいて検出回路部を構成する変換部の異常を判定するように機能し得る。
【００１２】
このように構成された異常検出装置は、電流又は電圧をモニタする上で重要な部分である変換部を診断対象とし、この変換部に異常が生じているか否かを具体的に確認することができる。
【００１３】
異常判定部は、入力経路の電圧又は電流が異常値である場合の疑似信号、又は出力経路の電圧又は電流が異常値である場合の疑似信号を保護回路部に与え、疑似信号の発生時における保護回路部の動作結果に基づいて保護回路部の異常を判定するように機能し得る。
【００１４】
このように構成された異常検出装置は、電圧又は電流の異常に対応する上で重要な部分である保護回路部を診断対象とし、保護回路部に異常が生じているか否かを具体的に確認することができる。特に、実際の異常時に対応した疑似信号を発生させ、それに応じた保護回路部の動作結果に基づいて保護回路部の異常を判定することができるため、保護回路部が正常に動作し得るか否かを、より正確に判定することができる。
【００１５】
異常検出装置は、複数の電圧変換部によって多相変換部が構成され、異常判定部は、複数の電圧変換部を１又は複数個毎に順番に動作させ、順番に動作させたそれぞれ動作時における多相変換部からの出力に基づいて異常が生じている１又は複数の電圧変換部を検出するように機能し得る。
【００１６】
このように構成された異常検出装置は、車載用電源装置を正常に動作させる上で重要性の高い検出回路部又は保護回路部の異常判定だけでなく、多相変換部の異常判定をも行うことができ、しかも、異常が生じている相を具体的に特定することができる。
【００１７】
上記異常検出装置と、電圧変換部とを含む形で車載用電源装置を構成し得る。この構成によれば、上記異常検出装置と同様の効果を奏する車載用電源装置を実現できる。
【００１８】
＜実施例１＞
以下、本発明を具体化した実施例１について説明する。
図１で示す車載用電源装置１（以下、電源装置１ともいう）は、車載用電源システム１００の一部をなす車載用の多相型ＤＣＤＣコンバータとして構成されており、入力側導電路６に印加された直流電圧（入力電圧）を多相方式且つ降圧方式で電圧変換し、入力電圧を降圧した出力電圧を出力側導電路７に出力する構成となっている。
【００１９】
電源装置１は、入力側導電路６と出力側導電路７とを備えた電源ライン５と、入力された電圧を変換して出力するｎ個の電圧変換部ＣＶ１，ＣＶ２…ＣＶｎを備えた多相変換部２と、電圧変換部ＣＶ１，ＣＶ２…ＣＶｎを制御信号によって個々に制御する制御部４とを備える。なお、電圧変換部の個数（多相変換部２における最大相数）であるｎは２以上の自然数であればよい。以下では、図１で示す構成、即ち、ｎ＝４である場合を代表例として説明する。また、本構成では、電源装置１のうちの多相変換部２を除いた部分によって異常検出装置３が構成されている。この異常検出装置３は、制御部４、保護回路１４Ａ，１４Ｂ、電圧検出回路１６Ａ，１６Ｂ、電流検出回路１８などを備えている。
【００２０】
入力側導電路６は、例えば、相対的に高い電圧が印加される一次側（高圧側）の電源ラインとして構成され、一次側電源部９１の高電位側の端子に導通するとともに、その一次側電源部９１から所定の直流電圧（例えば、４８Ｖ）が印加される構成をなす。この入力側導電路６は、各電圧変換部ＣＶ１，ＣＶ２，ＣＶ３，ＣＶ４の個別入力路ＬＡ１，ＬＡ２，ＬＡ３，ＬＡ４にそれぞれ接続されている。一次側電源部９１は、例えば、リチウムイオン電池、電気二重層キャパシタ等の蓄電手段によって構成され、高電位側の端子は所定の高電位（例えば４８Ｖ）に保たれ、低電位側の端子は例えばグラウンド電位（０Ｖ）に保たれている。また、入力側導電路６には、オルタネータとして構成される発電機（図示は省略）も電気的に接続されている。
【００２１】
出力側導電路７は、相対的に低い電圧が印加される二次側（低圧側）の電源ラインとして構成されている。出力側導電路７には、一次側電源部９１の出力電圧よりも小さい直流電圧（例えば１２Ｖ）を出力する蓄電手段（鉛蓄電池等）が接続されている。なお、出力側導電路７には、車載用電気機器などの負荷９４（図２参照）も接続されている。
【００２２】
入力側導電路６と出力側導電路７との間には、多相変換部２が設けられている。この多相変換部２は、入力側導電路６と出力側導電路７との間に並列に接続されたｎ個の電圧変換部ＣＶ１，ＣＶ２…ＣＶｎを備える。ｎ個の電圧変換部ＣＶ１，ＣＶ２…ＣＶｎは、同様の構成をなし、いずれも同期整流方式の降圧型コンバータとして機能する。なお、以下では、ｎ個の電圧変換部ＣＶ１，ＣＶ２…ＣＶｎの各電圧変換部を電圧変換部ＣＶとも称する。入力側導電路６からはｎ個の電圧変換部ＣＶ１，ＣＶ２…ＣＶｎの各個別入力路ＬＡ１，ＬＡ２…ＬＡｎが分岐している。また、ｎ個の電圧変換部ＣＶ１，ＣＶ２…ＣＶｎの各個別出力路ＬＢ１，ＬＢ２…ＬＢｎは、共通の出力路である出力側導電路７に接続されている。なお、ｎ個の電圧変換部ＣＶ１，ＣＶ２…ＣＶｎは、それぞれ１相目、２相目…ｎ相目とされている。なお、本明細書では、「相に対応する電圧変換部」を単に「相」と称することもある。
【００２３】
ｎ個の電圧変換部ＣＶ１，ＣＶ２…ＣＶｎのうち、第ｋ相の電圧変換部ＣＶｋについて説明する。以下において、ｋは、ｎ以下の自然数である。第ｋ相の電圧変換部ＣＶｋは、ハイサイド側のスイッチ素子ＳＡｋと、ローサイド側のスイッチ素子ＳＢｋと、インダクタＬｋと、保護用のスイッチ素子ＳＣｋとを備える。例えば、第１相の電圧変換部ＣＶ１は、ハイサイド側のスイッチ素子ＳＡ１と、ローサイド側のスイッチ素子ＳＢ１と、インダクタＬ１と、保護用のスイッチ素子ＳＣ１とを備えており、第２相の電圧変換部ＣＶ２は、ハイサイド側のスイッチ素子ＳＡ２と、ローサイド側のスイッチ素子ＳＢ２と、インダクタＬ２と、保護用のスイッチ素子ＳＣ２とを備えている。第３相、第４相も同様である。
【００２４】
第ｋ相の電圧変換部ＣＶｋにおいて、スイッチ素子ＳＡｋは、Ｎチャネル型のＭＯＳＦＥＴとして構成され、スイッチ素子ＳＡｋのドレインには、入力側導電路６から分岐した個別入力路ＬＡｋが接続されている。スイッチ素子ＳＡｋのソースには、ローサイド側のスイッチ素子ＳＢｋのドレイン及びインダクタＬｋの一端が接続されている。スイッチ素子ＳＢｋは、スイッチ素子ＳＡｋとインダクタＬｋとの接続点にドレインが接続され、ソースはグラウンドに接続されている。インダクタＬｋの他端は、スイッチ素子ＳＣｋのソースに接続されている。スイッチ素子ＳＣｋのドレインは、出力側導電路７に接続されている。スイッチ素子ＳＣｋは、過電流、過電圧、逆流等の異常時に経路の導通を遮断するように機能するものである。なお、図１ではスイッチ素子ＳＡｋ，ＳＢｋ，ＳＣｋの各ゲートに接続される制御線は省略しているが、各スイッチ素子ＳＡｋ，ＳＢｋ，ＳＣｋが個別の制御線を介して制御部４によって制御され得る。
【００２５】
制御部４は、主として、制御回路１０とＦＥＴ駆動部１２とを備える。制御回路１０は、例えばＭＣＵ（Micro Controller Unit）として構成されており、各種演算処理を行うＣＰＵ１０Ａと、アナログ電圧をデジタル信号に変換するＡ／Ｄ変換器１０Ｂと、パルス発信器１０Ｃとを備える。更に、制御回路１０には、ＲＯＭ、ＲＡＭなどの半導体記憶手段によって構成される記憶部（図示は省略）なども設けられている。Ａ／Ｄ変換器１０Ｂには、後述する電圧検出回路１６Ａ，１６Ｂ、電流検出回路１８などから出力される各電圧値が入力される。
【００２６】
制御部４において、制御回路１０は、デューティを決定する機能、及び決定したデューティのＰＷＭ信号を生成し出力する機能を有しており、具体的には、ｎ個の電圧変換部ＣＶ１，ＣＶ２…ＣＶｎのそれぞれに対するＰＷＭ信号を生成し、出力する。例えば、定常出力状態において、ｎ個の電圧変換部ＣＶ１，ＣＶ２…ＣＶｎを全て駆動する場合、制御回路１０は、位相が２π／ｎずつ異なるＰＷＭ信号を生成し、ｎ個の電圧変換部ＣＶ１，ＣＶ２…ＣＶｎのそれぞれに出力する。図１の例のように多相変換部２が４個の電圧変換部ＣＶ１，ＣＶ２，ＣＶ３，ＣＶ４によって構成されていれば、制御部４からそれぞれに対して位相が２π／４ずつ異なるＰＷＭ信号が与えられる。制御回路１０は、パルス発信器１０Ｃで生成されるパルス信号を利用し、演算処理で算出されるデューティのＰＷＭ信号を公知の方法で生成する。
【００２７】
ＦＥＴ駆動部１２は、制御回路１０で生成された各相に対するＰＷＭ信号に基づき、各相のスイッチ素子ＳＡｋ，ＳＢｋ（ｋは、１〜ｎの自然数）のそれぞれを交互にオンするためのオン信号をスイッチ素子ＳＡｋ，ＳＢｋのゲートに印加する。スイッチ素子ＳＡｋ，ＳＢｋへのＰＷＭ信号の出力中においてスイッチ素子ＳＢｋのゲートに与えられる信号は、デッドタイムが確保された上で、スイッチ素子ＳＡｋのゲートに与えられる信号に対して位相が反転する。
【００２８】
電源装置１は、複数の電圧変換部ＣＶ１，ＣＶ２…ＣＶｎに対する共通の入力経路（入力側導電路６）の入力電圧値を検出する電圧検出回路１６Ａと、複数の電圧変換部ＣＶ１，ＣＶ２…ＣＶｎからの共通の出力経路（出力側導電路７）における出力電圧値及び出力電流値をそれぞれ検出する電圧検出回路１６Ｂ、電流検出回路１８を備える。
【００２９】
電圧検出回路１６Ａは、入力側導電路６の電圧値を反映した値（例えば、入力側導電路６の電圧値そのもの、或いはその電圧値を分圧回路で分圧した分圧値など）を制御回路１０のＡ／Ｄ変換器１０Ｂに出力する部分として構成されている。電圧検出回路１６Ｂは、出力側導電路７の電圧値を反映した値（例えば、出力側導電路７の電圧値そのもの、或いはその電圧値を分圧回路で分圧した分圧値など）を制御回路１０のＡ／Ｄ変換器１０Ｂに出力する部分として構成されている。
【００３０】
電流検出回路１８は、出力側導電路７を流れる電流に対応する電圧値を検出値として出力する構成であればよい。例えば、電流検出回路１８は、出力側導電路７に介在する抵抗器と差動増幅器とを有し、抵抗器の両端電圧が差動増幅器に入力され、出力側導電路７を流れる電流によって抵抗器に生じた電圧降下量が差動増幅器で増幅され、これを検出値として制御回路１０のＡ／Ｄ変換器１０Ｂに出力するようになっている。
【００３１】
本構成では、電圧検出回路１６Ａ，１６Ｂ、電流検出回路１８が検出部の一例に相当し、電源装置１の所定位置の電流、電圧の少なくともいずれかの大きさを示す検出値をアナログ信号として生成するように機能する。Ａ／Ｄ変換器１０Ｂは、変換部の一例に相当し、検出部で生成された検出値をデジタル信号に変換するように機能する。そして、電圧検出回路１６Ａ，１６Ｂ、電流検出回路１８（検出部）とＡ／Ｄ変換器１０Ｂ（変換部）とによって検出回路部が構成されている。
【００３２】
保護回路１４Ａ，１４Ｂは、保護回路部の一例に相当し、電圧変換部への入力経路の電圧又は電流の少なくともいずれか、又は電圧変換部からの出力経路の電圧又は電流の少なくともいずれかが異常値である場合に、電源装置１に対して所定の保護動作を行うように機能する。
【００３３】
図２で示すように、保護回路１４Ａは、入力側導電路６の電流値が所定の電流閾値以上である場合に過電流信号を制御部４に出力し、入力側導電路６の電圧値が所定の電圧閾値以上である場合に過電圧信号を制御部４に出力する判定回路３１Ａを備える。また、保護回路１４Ａは、判定回路３１Ａによって過電流信号又は過電圧信号が出力された場合に多相変換部２を動作停止状態とする停止回路３２Ａを備える。停止回路３２Ａは、判定回路３１Ａから制御部４に対して過電流信号又は過電圧信号が出力された場合に多相変換部２の動作を停止させ、その動作停止状態を解除条件が成立するまで維持する構成をなす。停止回路３２Ａが多相変換部２の動作を停止させる方法は特に限定されず、例えば、判定回路３１Ａによって制御部４に対し過電流信号又は過電圧信号が出力された場合にＦＥＴ駆動部１２から多相変換部２に入力される制御信号を無効化する制御を開始するとともにその無効化制御を継続し、制御部４から解除信号（ラッチクリア信号）が出力された場合に、その無効化制御を解除するような構成とすることができる。
【００３４】
図２で示す保護回路１４Ｂは、出力側導電路７の電流値が所定の電流閾値以上である場合に過電流信号を制御部４に出力し、出力側導電路７の電圧値が所定の電圧閾値以上である場合に過電圧信号を制御部４に出力する判定回路３１Ｂを備える。また、保護回路１４Ｂは、判定回路３１Ｂによって過電流信号又は過電圧信号が出力された場合に多相変換部２を動作停止状態とする停止回路３２Ｂを備える。停止回路３２Ｂは、判定回路３１Ｂから制御部４に対して過電流信号又は過電圧信号が出力された場合に多相変換部２の動作を停止させ、その動作停止状態を解除条件が成立するまで維持する構成をなす。停止回路３２Ｂが多相変換部２の動作を停止させる方法は特に限定されず、例えば、判定回路３１Ｂによって過電流信号又は過電圧信号が出力された場合にＦＥＴ駆動部１２から多相変換部２に入力される制御信号を無効化する制御を開始するとともにその無効化制御を継続し、制御部４から解除信号（ラッチクリア信号）が出力された場合に、その無効化制御を解除するような構成とすることができる。
【００３５】
次に、制御部４によって行われる多相変換部２の駆動制御について説明する。
まず、定常状態での基本動作について説明する。定常状態での基本動作は、後述する図３〜７の制御（車両動作終了時の各制御）が実行される前の動作であり、且つ、後述する図８〜図１０の制御（車両動作開始時の各制御）が終了した後の動作である。制御部４は、電圧変換部ＣＶｋ（ｋは、１〜ｎの自然数）を複数備えてなる多相変換部２を制御対象とし、多相変換部２の各々の電圧変換部ＣＶｋに設けられた各々のスイッチ素子ＳＡｋ，ＳＢｋに対しオン信号とオフ信号とを交互に切り替える制御信号を出力する機能を有する。
【００３６】
定常状態のとき、制御部４は、ｎ個の電圧変換部ＣＶ１，ＣＶ２…ＣＶｎのそれぞれに対して、デッドタイムを設定した形でＰＷＭ信号を相補的に出力する。例えば、第ｋ相の電圧変換部ＣＶｋを構成するスイッチ素子ＳＡｋ，ＳＢｋの各ゲートに対しては、制御部４は、デッドタイムを設定した上で、スイッチ素子ＳＡｋのゲートへのオン信号の出力中には、スイッチ素子ＳＢｋのゲートにオフ信号を出力し、スイッチ素子ＳＡｋのゲートへのオフ信号の出力中には、スイッチ素子ＳＢｋのゲートにオン信号を出力する。電圧変換部ＣＶｋは、このような相補的なＰＷＭ信号に応じて、スイッチ素子ＳＡｋのオン動作とオフ動作との切り替えをスイッチ素子ＳＢｋのオフ動作とオン動作との切り替えと同期させて行い、これにより、個別入力路ＬＡｋに印加された直流電圧を降圧し、個別出力路ＬＢｋに出力する。個別出力路ＬＢｋの出力電圧は、スイッチ素子ＳＡｋ，ＳＢｋの各ゲートに与えるＰＷＭ信号のデューティ比に応じて定まる。このような制御は、上述した自然数ｋが１からｎのいずれの場合でも、即ち、第１相から第ｎ相までのいずれの電圧変換部においても、同様に行われる。
【００３７】
制御部４は、多相変換部２を動作させる場合、複数の電圧変換部ＣＶ１，ＣＶ２…ＣＶｎの一部又は全部を、制御信号（ＰＷＭ信号）によって個々に制御し、多相変換部２からの出力が設定された目標値となるようにフィードバック制御を行う。例えば、制御部４は、電流検出回路１８によって制御回路１０に入力された検出値（出力側導電路７の電流値）と、出力電流の目標値（目標電流値）とに基づき、公知のＰＩＤ制御方式によるフィードバック演算によって各相の制御量（デューティ比）を決定する。多相変換部２において駆動相数がｍのときの定常出力状態では、フィードバック演算によって決定したデューティ比のＰＷＭ信号を、位相を２π／ｍずつ異ならせてｍ個の電圧変換部のそれぞれに出力する。なお、ｎ個の電圧変換部を全て駆動せる場合にはｎ＝ｍであり、後述する故障判定などによってｎ個の電圧変換部のうちｐ個の電圧変換部を駆動させない場合には、ｍ＝ｎ−ｐである。
【００３８】
次に、図３〜図７等を参照し、車両動作終了時の制御について説明する。
図１で示す電源装置１では、車両において所定の動作停止条件が成立したときに、制御回路１０が図３、図５、図６の各制御を実行する。なお、これらの制御は、順番に実行してもよく、並行して実行してもよい。以下の説明では、電源装置１が搭載される車両内に設けられた図示しないイグニッションスイッチがオフ状態になり、制御回路１０にイグニッションスイッチがオフ状態であることを示す信号（ＩＧオフ信号）が入力されたときが「所定の動作停止条件が成立したとき」である場合を例に挙げて説明する。
【００３９】
まず、保護回路部の故障を判定する制御を説明する。
制御回路１０（より具体的には、ＣＰＵ１０Ａ）は、外部からＩＧオフ信号が入力されたことに応じて図３の制御を開始し、まず、ステップＳ１にて保護回路故障検出処理を行う。制御回路１０は、保護回路故障検出処理を図４の流れで行うことができ、この保護回路故障検出処理は、故障検出の対象となる各保護回路に対して行うことができる。例えば、図１、図２の例では、保護回路１４Ａ，１４Ｂのそれぞれに対して図４の処理を行うことができる。
【００４０】
制御回路１０は、保護回路１４Ａに対して図４の保護回路故障検出処理を行う場合、まず、ステップＳ１１の処理を実行し、疑似故障発生信号を発生させた状態（ＯＮ状態）にする。制御回路１０は、ステップＳ１１の処理を行う場合、例えば入力側導電路６において所定の過電圧疑似信号（判定回路３１Ａによって過電圧状態と判定される電圧の信号（即ち、所定の電圧閾値以上の電圧信号））を発生させ、このように入力側導電路６に過電圧疑似信号を発生させている最中に判定回路３１Ａが過電圧信号を出力するか否かを確認する。なお、過電圧疑似信号の発生方法は特に限定されず、保護回路１４Ａの判定回路３１Ａに対して所定の電圧閾値（通常動作時に入力電圧の過電圧を判定するための閾値）を超える電圧を印加し得る方法であればよい。
【００４１】
更に、制御回路１０は、図４のステップＳ１１の処理を行う場合、入力側導電路６において所定の過電流疑似信号（判定回路３１Ａによって過電流状態と判定される電流信号（所定の電流閾値以上の電流信号））を発生させ、入力側導電路６に過電流疑似信号を発生させている最中に判定回路３１Ａが過電流信号を出力するか否かを確認する。なお、過電流疑似信号の発生方法は特に限定されず、保護回路１４Ａの判定回路３１Ａに対して所定の電流閾値（通常動作時に入力電流の過電流を判定するための閾値）を超える電流を流し得る方法であればよい。
【００４２】
制御回路１０は、このように過電圧疑似信号及び過電流疑似信号を発生させたときに判定回路３１Ａからの過電圧信号又は過電流信号を確認できなかった場合、図４のステップＳ１３において、所定時間の間、過電流疑似信号の発生及び過電圧疑似信号の発生を繰り返すとともに、過電流信号及び過電圧信号の検出を試みる。制御回路１０は、ステップＳ１３の所定時間の間においても、過電圧信号又は過電流信号のいずれかを検出しなかった場合（ステップＳ１４でＹｅｓの場合）、ステップＳ１５において保護回路１４Ａが故障であると判定する。
【００４３】
制御回路１０は、保護回路１４Ｂに対しても図４の保護回路故障検出処理を行うことができる。この場合、制御回路１０は、ステップＳ１１において、例えば出力側導電路７において所定の過電圧疑似信号（判定回路３１Ｂによって過電圧状態と判定される電圧の信号（即ち、所定の電圧閾値以上の電圧信号））を発生させ、出力側導電路７に過電圧疑似信号を発生させている最中に判定回路３１Ｂが過電圧信号を出力するか否かを確認する。更に、制御回路１０は、出力側導電路７において所定の過電流疑似信号（判定回路３１Ｂによって過電流状態と判定される電流信号（所定の電流閾値以上の電流信号））を発生させ、出力側導電路７に過電流疑似信号を発生させている最中に判定回路３１Ｂが過電流信号を出力するか否かを確認する。制御回路１０は、このようにステップＳ１１において過電圧疑似信号及び過電流疑似信号を発生させたときに判定回路３１Ｂからの過電圧信号又は過電流信号を確認できなかった場合、ステップＳ１２においてｙｅｓの判定となり、ステップＳ１３において、所定時間の間、過電流疑似信号の発生及び過電圧疑似信号の発生を繰り返すとともに、過電流信号及び過電圧信号の検出を試みる。制御回路１０は、ステップＳ１３の所定時間の間においても、過電圧信号又は過電流信号のいずれかを検出しなかった場合（ステップＳ１４でＹｅｓの場合）、ステップＳ１５において保護回路１４Ｂが故障であると判定する。
【００４４】
制御回路１０は、保護回路１４Ａ，１４Ｂに対して図４で示す保護回路故障検出処理を行った後、図３のステップＳ２の判定処理を行い、保護回路故障検出処理において保護回路１４Ａ，１４Ｂの少なくともいずれかが故障であると判定されたか否かを判定する。制御回路１０は、保護回路故障検出処理において保護回路１４Ａ，１４Ｂの少なくともいずれかが故障であると判定した場合（ステップＳ２でＹｅｓの場合）、ステップＳ３の処理を行い、図示しない記憶部に保護回路が故障であることを示す情報を記憶する。
【００４５】
このように、制御回路１０は異常判定部の一例に相当し、車両において所定の動作停止条件が成立した場合（例えば、ＩＧオフ信号が入力された場合）に、検出回路部及び保護回路部に予め定められた診断動作を行わせ、診断動作の結果に基づいて、検出回路部及び保護回路部の異常を判定するように機能する。具体的には、制御回路１０（異常判定部）は、動作停止条件が成立した場合に、疑似信号として、入力経路の電圧が異常値となる疑似電圧信号及び入力経路の電流が異常値となる疑似電流信号を保護回路１４Ａにそれぞれ与え、各疑似信号の発生時に保護回路１４Ａが異常時の正規動作を行ったか否かを基づいて（具体的には、保護回路１４Ａから過電圧信号及び過電流信号が出力されたか否かに基づいて）、保護回路１４Ａの異常を判定するように機能する。同様に、制御回路１０（異常判定部）は、動作停止条件が成立した場合に、疑似信号として、出力経路の電圧が異常値となる疑似電圧信号及び出力経路の電流が異常値となる疑似電流信号を保護回路１４Ｂにそれぞれ与え、各疑似信号の発生時に保護回路１４Ｂが異常時の正規動作を行ったか否かに基づいて（具体的には、保護回路１４Ｂから過電圧信号及び過電流信号が出力されたか否かに基づいて）、保護回路１４Ｂの異常を判定するように機能する。
【００４６】
次に、検出回路部の故障を判定する制御を説明する。
制御回路１０（より具体的には、ＣＰＵ１０Ａ）は、外部からＩＧオフ信号が入力されたことに応じて図５の制御も行うことができる。この図４の制御では、まず、ステップＳ２１により、自己診断機能を利用した故障検出処理を行う。
【００４７】
制御回路１０には、Ａ／Ｄ変換器１０Ｂの故障を診断する自己診断機能が搭載されており、図５のステップＳ２１では、この自己診断機能を実行する。自己診断機能としては、公知のマイクロコンピュータなどにおいてＡ／Ｄ変換器に対して実行される公知の自己診断機能を用いることができる。
【００４８】
例えば、制御回路１０内に、予め定められた基準電圧を生成する基準電圧生成回路（図示は省略）が設けられ、制御回路１０は、内部の基準電圧生成回路で生成された基準電圧をアナログ信号としてＡ／Ｄ変換器１０Ｂに入力する。そして、その基準電圧をＡ／Ｄ変換器１０Ｂによってデジタル信号に変換した後の変換後のデータが予め定められた正常範囲内であればＡ／Ｄ変換器１０Ｂが正常であると判定し、その正常範囲から外れた異常範囲であればＡ／Ｄ変換器１０Ｂが故障であると判定する。
【００４９】
制御回路１０は、このようにステップＳ２１にて自己診断機能を実行したときに、その自己診断機能によりＡ／Ｄ変換器１０Ｂの故障であると判定した場合、ステップＳ２３において、Ａ／Ｄ変換器１０Ｂが故障であることを示す情報を図示しない記憶部に記憶する。一方、ステップＳ２２にて、Ａ／Ｄ変換器１０Ｂが故障でないと判定した場合、ステップＳ２４において、Ａ／Ｄ変換器１０Ｂが故障でないことを示す情報を図示しない記憶部に記憶する。なお、ステップＳ２４では、情報の記憶を行わないようにしてもよい。
【００５０】
このように異常判定部として機能する制御回路１０は、動作停止条件が成立した場合（例えば、ＩＧオフ信号が入力された場合）にＡ／Ｄ変換器１０Ｂ（変換部）に対して予め定められた自己診断動作を行わせ、Ａ／Ｄ変換器１０Ｂ（変換部）の自己診断動作に基づいてＡ／Ｄ変換器１０Ｂ（変換部）の異常を判定するように機能する。
【００５１】
次に、電圧変換部の故障を判定する制御を説明する。
制御回路１０は、外部からＩＧオフ信号が入力されたときに、図６の制御も実行することができる。この図６の制御では、まず、ステップＳ３１において、故障相判定処理を行う。
【００５２】
制御回路１０は、ステップＳ３１の故障相判定処理を図７のような流れで行い、この故障相判定処理では、ステップＳ４２〜ステップＳ４５の間の処理を、ｎ相分繰り返す。ｉは、ステップＳ４２〜Ｓ４５の処理の実行回数を示す値であり、ｉ＝１であれば、第１相に対してステップＳ４２〜Ｓ４５の処理を行い、ｉ＝ｎであれば、第ｎ相に対してステップＳ４２〜Ｓ４５の処理を行う。図７の故障相判定処理の開始直後はｉ＝１であり、ステップＳ４２〜Ｓ４５の処理が完了する毎にｉの値をカウントアップする。ｉの値がｎを超えた場合には、図７の故障判定処理を終了する。
【００５３】
制御回路１０は、ステップＳ４２の処理を行う場合、そのステップＳ４２の処理を行う時点でのｉの値に基づき、第ｉ相のみを駆動し、それ以外の相の駆動を停止させる。例えば、ｉ＝１であれば、第１相（１番目）の電圧変換部ＣＶのみを駆動し、それ以外の電圧変換部ＣＶの駆動を停止させる。制御回路１０は、このように第ｉ相の電圧変換部ＣＶを駆動させた状態で、ステップ４３の処理を実行し、所定時間にわたり出力電圧値及び出力電流値を監視する。制御回路１０は、ステップＳ４３の後にステップＳ４４の判定処理を行い、ステップＳ４３の処理で監視される出力電圧値が予め定められた下限値よりも低い場合（具体的には、電圧検出回路１６Ｂの検出値で特定される電圧値が所定の下限電圧値よりも低い場合）、又は、ステップＳ４３の処理で監視される出力電流値が０Ａ相当の場合（具体的には、電流検出回路１８の検出値で特定される電流値が所定の下限電流値よりも低い場合）には、ステップＳ４５において着目しているｉ相の電圧変換部ＣＶが故障であることを示す情報を図示しない記憶部に記憶する。制御回路は、ステップＳ４４の判定処理において、ステップＳ４３の処理で監視される出力電圧値が予め定められた下限値以上であり、且つステップＳ４３の処理で監視される出力電流値が０Ａ相当でないと判定した場合には、ステップＳ４６からステップＳ４１に戻り、ｉをカウントアップする。
【００５４】
制御回路１０は、図７で示す故障相判定処理を終えた後、図６のステップＳ３２の判定処理を行い、故障相判定処理において、いずれかの相の故障を示す情報が記憶されているか否かを判定する。制御回路１０は、図７の故障相判定処理でいずれの相も故障と判定せず、図示しない記憶部にいずれの相の故障情報も記憶されていない場合には、ステップＳ３４において故障相なしと判定し、この場合、特別な処理を行わずに図６の制御を終了する。
【００５５】
一方、制御回路１０は、図７の故障相判定処理でいずれかの相を故障と判定しており、いずれかの相の故障情報が図示しない記憶部に記憶されている場合には、ステップＳ３３において故障相ありと判定し、故障相があることを示す情報を、故障相を特定する情報とともに図示しない記憶部に記憶しておく。
【００５６】
このように、異常判定部として機能する制御回路１０は、動作停止条件が成立した場合（例えばＩＧオフ信号が入力された場合）に複数の電圧変換部ＣＶを１つずつ順番に動作させ、順番に動作させたそれぞれ動作時における多相変換部２からの出力に基づいて異常が生じている電圧変換部ＣＶを検出するように機能する。
【００５７】
次に、図８〜図１０等を参照し、車両動作開始時の制御について説明する。
制御回路１０は、車両において所定の動作開始条件が成立したとき（例えば、ＩＧオン信号が入力されたとき）に図８〜図１０の制御を実行する。なお、図８〜図１０の制御は順番に行ってもよく、並行して行ってもよい。
【００５８】
まず、保護回路の故障の再判定について図８を参照して説明する。
制御回路１０（より具体的には、ＣＰＵ１０Ａ）は、外部からＩＧオン信号が入力されたことに応じて図８の制御を開始し、まず、ステップＳ５１において、動作停止条件が成立したとき（即ち、ＩＧ信号がＩＧオン信号からＩＧオフ信号に切り替わったとき）に実行された図３の制御において保護回路１４Ａ，１４Ｂのいずれかが故障であると判定されているか否かを判定する。図３の制御において保護回路１４Ａ，１４Ｂのいずれかが故障であると判定されていない場合、即ち、いずれも故障でない場合には、図８の制御を終了する。
【００５９】
図３の制御において保護回路１４Ａ，１４Ｂのいずれかが故障であると判定されている場合、即ち、図示しない記憶部に保護回路１４Ａ，１４Ｂのいずれかの故障を示す情報が記憶されている場合、制御回路１０は、ステップＳ５２の処理を行い、記憶部に記憶された情報によって故障と特定されている保護回路を対象として図４と同様の保護回路故障検出処理を再度行う。
【００６０】
そして、ステップＳ５２の後、ステップＳ５３の判定処理を行い、制御回路１０は、ステップＳ５２にて対象の保護回路（記憶部に故障情報が記憶されている保護回路）に対して図４の保護回路故障検出処理を行ったときに、再びステップＳ１５にてその対象の保護回路を故障と判定した場合（ステップＳ５３でｙｅｓ）、ステップＳ５４において、その対象の保護回路（再判定を行った保護回路）を故障と確定させる。ステップＳ５４にて対象の保護回路の故障を確定させた場合、その保護回路が異常である旨の情報を外部装置（例えば上位ＥＣＵなど）に通知するような保護動作を行ってもよく、ユーザに所定の報知を行うような保護動作を行ってもよい。或いは、多相変換部２の動作を禁止するような保護動作を行ってもよい。
【００６１】
制御回路１０は、ステップＳ５２にて対象の保護回路に対して図４の保護回路故障検出処理を行ったときにステップＳ１５の処理を実行せず、対象の保護回路を故障と判定しなかった場合（ステップＳ５３でｎｏ）、ステップＳ５５において、その対象の保護回路（再判定を行った保護回路）を故障ではないと判定する。この場合、先に行われた図３の制御で記憶部に記憶された情報（その対象の保護回路が故障であることを示す情報）は消去すればよい。
【００６２】
次に、Ａ／Ｄ変換器１０Ｂの故障の再判定について図９を参照して説明する。
制御回路１０（より具体的には、ＣＰＵ１０Ａ）は、外部からＩＧオン信号が入力されたことに応じて図９の制御を開始し、まず、ステップＳ６１において、動作停止条件が成立したとき（即ち、ＩＧ信号がＩＧオン信号からＩＧオフ信号に切り替わったとき）に実行された図５の制御においてＡ／Ｄ変換器１０Ｂが故障であると判定されているか否かを判定する。図５の制御においてＡ／Ｄ変換器１０Ｂが故障であると判定されている場合、即ち、図示しない記憶部にＡ／Ｄ変換器１０Ｂの故障を示す情報が記憶されている場合、制御回路１０は、ステップＳ６２の処理を行い、Ａ／Ｄ変換器１０Ｂに対して図５のステップＳ２１と同様の自己診断機能を行わせ、故障検出を再度行う。
【００６３】
制御回路１０は、ステップＳ６２の自己診断機能の実行時に再度Ａ／Ｄ変換器１０Ｂが故障であると判定した場合（ステップＳ６３でｙｅｓ）には、ステップＳ６４において、Ａ／Ｄ変換器１０Ｂを故障と確定させる。このようにＡ／Ｄ変換器１０Ｂの故障を確定させた場合、Ａ／Ｄ変換器１０Ｂが異常である旨の情報を外部装置（例えば上位ＥＣＵなど）に通知するような保護動作を行ってもよく、ユーザに所定の報知を行うような保護動作を行ってもよい。或いは、多相変換部２の動作を禁止するような保護動作を行ってもよい。
【００６４】
制御回路１０は、ステップＳ６２にて自己診断機能を実行したときにＡ／Ｄ変換器１０Ｂが故障であると判定しなかった場合（ステップＳ６３でｎｏ）、ステップＳ６５において、Ａ／Ｄ変換器１０Ｂを故障ではないと判定する。この場合、先に行われた図５の制御で記憶部に記憶された情報（Ａ／Ｄ変換器１０Ｂが故障であることを示す情報）は消去すればよい。
【００６５】
次に、電圧変換部ＣＶの故障の再判定について図１０を参照して説明する。
制御回路１０（より具体的には、ＣＰＵ１０Ａ）は、外部からＩＧオン信号が入力されたことに応じて図１０の制御を開始し、まず、ステップＳ７１において、動作停止条件が成立したとき（即ち、ＩＧ信号がＩＧオン信号からＩＧオフ信号に切り替わったとき）に実行された図６の制御において複数の電圧変換部ＣＶのうちのいずれかが故障であると判定されているか否かを判定する。図６の制御において複数の電圧変換部ＣＶのうちのいずれかが故障であると判定されている場合、即ち、図示しない記憶部に複数の電圧変換部ＣＶのいずれかの故障を示す情報が記憶されている場合、ステップＳ７２において、その故障であると判定されている電圧変換部ＣＶ（即ち、記憶部に故障である旨が記憶されている電圧変換部）に対して図７と同様の故障相判定処理を再度行う。
【００６６】
具体的には、制御回路１０は、先に行われた図６の制御において故障と判定されている電圧変換部ＣＶ（以下、故障推定相ともいう）に対し、図７のステップＳ４２〜Ｓ４５と同様の処理を実行する。具体的には、まず、ステップＳ４２と同様の処理を行い、故障と判定されている電圧変換部ＣＶ（故障推定相）のみを駆動し、それ以外の電圧変換部ＣＶの駆動を停止させる。制御回路１０は、このように故障と判定されている電圧変換部ＣＶ（故障推定相）のみを駆動させた状態で、ステップ４３と同様の処理を実行し、所定時間にわたり出力電圧値及び出力電流値を監視する。制御回路１０は、このような監視を行った後にステップＳ４４と同様の判定処理を行い、故障推定相の動作時に出力電圧値が予め定められた下限値よりも低い場合（具体的には、電圧検出回路１６Ｂの検出値で特定される電圧値が所定の下限電圧値よりも低い場合）、又は、故障推定相の動作時に出力電流値が０Ａ相当の場合（具体的には、電流検出回路１８の検出値で特定される電流値が所定の下限電流値よりも低い場合）には、ステップＳ４５と同様の処理を行い、その故障推定相を再度故障と判定する。逆に、故障推定相の動作時に出力電圧値が予め定められた下限値以上であり且つ出力電流値が０Ａ相当ではない場合には、その故障推定相を故障と判定しない。
【００６７】
制御回路１０は、このような故障相判定処理を行った後、ステップＳ７３において故障推定相が再度故障と判定されたか否かを判定し、故障推定相が再度故障と判定された場合には、ステップＳ７４において、故障推定相の故障を確定させる。このように、いずれかの電圧変換部ＣＶの故障が確定した場合、その後に行う定常状態の制御において、故障が確定した電圧変換部ＣＶを動作させずに動作禁止状態とし、残りの電圧変換部ＣＶを動作させて電圧変換を行うようにすることができる。また、いずれかの電圧変換部ＣＶが異常である旨の情報を外部装置（例えば上位ＥＣＵなど）に通知するような保護動作を行ってもよく、ユーザに所定の報知を行うような保護動作を行ってもよい。
【００６８】
なお、制御回路１０は、故障推定相を故障と判定しなかった場合（ステップＳ７３でｎｏ）、ステップＳ７５において、多相変換部２に故障が生じていないと判定する。この場合、先に行われた図６の制御で記憶部に記憶された情報（いずれかの電圧変換部ＣＶが故障であることを示す情報）は消去すればよい。
【００６９】
制御回路１０は、このような流れで図８〜図１０の制御を実行し、これら図８〜図１０の制御が終了した後には、上述した定常状態の制御に移行する。
【００７０】
以上のように、本構成の異常検出装置３は、制御回路１０が異常判定部として機能し、この制御回路１０（異常判定部）は、検出回路部及び保護回路部に予め定められた診断動作を行わせ、診断動作の結果に基づいて、検出回路部及び保護回路部の異常を判定する。このような制御回路１０（異常判定部）の動作により、検出回路部及び保護回路部に実際に診断動作を行わせた上で異常を判定することができ、電源装置１を正常に動作させる上で重要性の高い部分について異常が生じているか否かを確認することができる。
【００７１】
制御回路１０（異常判定部）は、車両において所定の動作停止条件が成立した場合に、検出回路部又は保護回路部の少なくともいずれかに診断動作を行わせ、診断動作の結果に基づいて、検出回路部又は保護回路部の少なくともいずれかの異常を判定し、検出回路部又は保護回路部の少なくともいずれかが異常である判定した場合、車両において所定の動作開始条件が成立したときに検出回路部又は保護回路部のうち異常と判定された対象回路部に対して予め定められた再診断動作を行わせ、再診断動作の結果に基づいて対象回路部の異常を再判定するように機能し得る。
【００７２】
このように構成された異常検出装置は、診断動作やそれに応じた異常判定を、車両において所定の動作停止条件が成立した後に行うことができるため、車両走行時に行われる通常動作への影響を抑えて重要性の高い部分を確認することができる。更に、その異常判定によって異常と判定した場合には、異常と判定した回路部（対象回路部）に対して再診断動作を行わせ、異常を再判定することができるため、いずれかの回路部が異常であるか否かをより正確に判定することができ、しかも、再診断動作及び異常の再判定は、車両において所定の動作開始条件が成立したとき、車両の走行が進行する前に早期に実行することができる。このように、診断動作や異常判定だけでなく再診断動作や再判定についても車両走行時に行われる通常動作への影響を抑えて行うことができ、更には、異常判定後に再判定がなされないまま車両走行が行われる事態も生じにくくなる。
【００７３】
制御回路１０（異常判定部）は、検出回路部を構成するＡ／Ｄ変換器１０Ｂ（変換部）に対して予め定められた自己診断動作を行わせ、Ａ／Ｄ変換器１０Ｂ（変換部）の自己診断動作に基づいて検出回路部を構成するＡ／Ｄ変換器１０Ｂ（変換部）の異常を判定する。このように構成された異常検出装置３は、電流又は電圧をモニタする上で重要な部分であるＡ／Ｄ変換器１０Ｂ（変換部）を診断対象とし、このＡ／Ｄ変換器１０Ｂ（変換部）に異常が生じているか否かを具体的に確認することができる。
【００７４】
制御回路１０（異常判定部）は、入力経路の電圧又は電流が異常値である場合の疑似信号、又は出力経路の電圧又は電流が異常値である場合の疑似信号を保護回路１４Ａ，１４Ｂ（保護回路部）に与え、疑似信号の発生時における保護回路１４Ａ，１４Ｂの動作結果に基づいて保護回路１４Ａ，１４Ｂの異常を判定することができる。このように構成された異常検出装置３は、電圧又は電流の異常に対応する上で重要な部分である保護回路１４Ａ，１４Ｂ（保護回路部）を診断対象とし、保護回路１４Ａ，１４Ｂに異常が生じているか否かを具体的に確認することができる。特に、実際の異常時に対応した疑似信号を発生させ、それに応じた保護回路１４Ａ，１４Ｂの動作結果に基づいて保護回路１４Ａ，１４Ｂの異常を判定することができるため、保護回路１４Ａ，１４Ｂが正常に動作し得るか否かを、より正確に判定することができる。
【００７５】
電源装置１は、複数の電圧変換部ＣＶによって多相変換部２が構成され、制御回路１０（異常判定部）は、複数の電圧変換部ＣＶを順番に動作させ、順番に動作させたそれぞれ動作時における多相変換部２からの出力に基づいて異常が生じている電圧変換部ＣＶを検出する。このように構成された異常検出装置３は、電源装置１を正常に動作させる上で重要性の高い検出回路部又は保護回路部の異常判定だけでなく、多相変換部２の異常判定をも行うことができ、しかも、異常が生じている相を具体的に特定することができる。
【００７６】
＜他の実施例＞
本発明は上記記述及び図面によって説明した実施例に限定されるものではなく、例えば次のような実施例も本発明の技術的範囲に含まれる。また、上述した実施例及び後述する実施例はどのように組み合わせてもよい。
【００７７】
（１）実施例１では、降圧型の多相コンバータを例示したが、昇圧型の多相コンバータであってもよく昇降圧型の多相コンバータであってもよい。また、降圧型、又は昇圧型、若しくは昇降圧側の単相コンバータであってもよい。
（２）実施例１では、ｋを１〜ｎの自然数とし、各相のローサイド側にスイッチ素子ＳＢｋを設けたが、接地電位にアノードが接続されたダイオードに置き換えることが可能である。また、スイッチ素子ＳＡｋ，ＳＢｋは、Ｐチャネル型のＭＯＳＦＥＴであってもよく、バイポーラトランジスタ等の他のスイッチ素子であってもよい。
（３）実施例１における一次側電源部９１や二次側電源部９２はあくまで一例であり、公知の様々な蓄電手段を適用することができる。
（４）実施例１における入力側や出力側の接続構成はあくまで一例であり、いずれの例においても、様々な装置や電子部品を入力側導電路６や出力側導電路７に電気的に接続することができる。
（５）実施例１では、図１において４つの電圧変換部ＣＶ１，ＣＶ２，ＣＶ３，ＣＶ４が並列に接続された４相構造の電源装置１を代表例として例示したが、電圧変換部の数は４未満の複数であってもよく、５以上の複数であってもよい。
（６）制御部４は、制御回路１０に入力された出力側導電路７の電圧値（検出電圧値）と、出力電圧の目標値（目標電圧値）とに基づき、出力電圧を目標電圧値に近づけるように公知のＰＩＤ制御方式によるフィードバック演算を行うとともに各電圧変換部ＣＶに与える制御量（デューティ比）を決定してもよい。
（７）実施例１では、保護回路１４Ａは、入力側導電路６に過電流が発生した時又は過電圧が発生した時のいずれの場合でも、多相変換部２の動作を停止させる保護動作を行い得る構成であったが、過電流発生のみ保護動作を行う構成であってもよく、過電圧発生時に保護動作を行う構成であってもよい。
（８）実施例１では、保護回路１４Ｂは、出力側導電路７に過電流が発生した時又は過電圧が発生した時のいずれの場合でも、多相変換部２の動作を停止させる保護動作を行い得る構成であったが、過電流発生のみ保護動作を行う構成であってもよく、過電圧発生時に保護動作を行う構成であってもよい。
（９）実施例１では、図７の処理において、多相変換部２を構成する複数の電圧変換部ＣＶを１つずつ個別に動作させ、個別に異常を判定する例を示したが、図７の処理において、多相変換部２を構成する複数の電圧変換部ＣＶを複数個ずつ（例えば、２個ずつ）動作させてもよい。複数の電圧変換部ＣＶを複数個ずつ動作させる場合において、いずれか複数個の組を動作させているときに出力電圧が異常範囲又は出力電流が異常範囲となった場合、その組を異常と判定するようにしてもよい。このような複数個（複数相）ずつの異常判定は、ＩＧオフ後の異常診断においても、ＩＧオン後の再診断においても行うことができる。
（１０）実施例１では、制御部４にＩＧオフ信号が入力されたことが所定の動作停止条件である例を示したが、車両の使用が終了することを特定し得る条件であればよい。例えば、ＣＡＮ通信などの車内通信が停止することが所定の動作停止条件であってもよい。
（１１）実施例１では、制御部４にＩＧオン信号が入力されたことが所定の動作開始条件である例を示したが、車両の使用が開始することを特定し得る条件であればよい。例えば、ＣＡＮ通信などの車内通信が停止することが所定の動作停止条件であってもよい。
（１２）実施例１では、車両動作停止時に図３及び図５の制御を実行する例を示したが、いずれかの制御を省略してもよい。
（１３）実施例１では、検出回路部を構成するＡ／Ｄ変換器１０Ｂに対して自己診断機能を実行させ、その結果に基づいて検出回路部の故障を判定する例を示したが、この例に限定されない。例えば、診断動作又は再診断動作として、所定の基準電圧生成回路によって生成された基準電圧を入力側導電路６又は出力側導電路７に入力し、そのときにＡ／Ｄ変換器１０Ｂによって変換されたデータが示す値が所定の正規範囲内である場合に正常と判定し、そうでない場合に故障と判定するような方法を用いてもよい。
（１４）実施例１では、保護回路の一例を示したが、保護回路は上述した例に限られない。例えば、入力側導電路６及び出力側導電路７のそれぞれに各導電路を通電状態と非通電状態に切り替え得る保護用のスイッチ（半導体スイッチ素子や機械式リレーなど）を設け、過電流や過電圧の発生時にこれらスイッチをオフ動作させるような保護回路であってもよい。この場合、診断動作や再診断動作は、保護用のスイッチ素子をオンオフさせるような動作であってもよい。例えば、ＩＧオフ信号の入力時に、制御回路１０が入力側導電路６に設けられた保護用のスイッチをオフ動作させる診断動作を行い、オフ動作した場合（例えば入力側導電路６に電流が流れない場合）には、正常と判定し、オフ動作しなかった場合には故障と判定するような方法であってもよい。故障と判定された場合には、ＩＧオン信号の入力時に同様の方法で再診断動作を行い、スイッチの異常を判定すればよい。このような診断動作、再診断動作は、多相変換部２を駆動しながら行うことができる。同様に、ＩＧオフ信号の入力時に、制御回路１０が出力側導電路７に設けられた保護用のスイッチをオフ動作させる診断動作を行い、オフ動作した場合（例えば出力側導電路７に電流が流れない場合）には、正常と判定し、オフ動作しなかった場合には故障と判定するような方法であってもよい。故障と判定された場合には、ＩＧオン信号の入力時に同様の方法で再診断動作を行い、スイッチの異常を判定すればよい。
【符号の説明】
【００７８】
１…車載用電源装置
２…多相変換部
３…異常検出装置
１０…制御回路（異常判定部）
１０Ｂ…Ａ／Ｄ変換器（変換部、検出回路部）
１４Ａ，１４Ｂ…保護回路（保護回路部）
１６Ａ，１６Ｂ…電圧検出回路（検出部、検出回路部）
１８…電流検出回路（検出部、検出回路部）
ＣＶ…電圧変換部
ＳＡ１，ＳＡ２，ＳＡ３，ＳＡ４，ＳＢ１，ＳＢ２，ＳＢ３，ＳＢ４…スイッチ素子
【図１】
2018023195.tif 000003
【図２】
2018023195.tif 000004
【図３】
2018023195.tif 000005
【図４】
2018023195.tif 000006
【図５】
2018023195.tif 000007
【図６】
2018023195.tif 000008
【図７】
2018023195.tif 000009
【図８】
2018023195.tif 000010
【図９】
2018023195.tif 000011
【図１０】
2018023195.tif 000012